(57)【要約】  より軽量で、かつより取り扱いの容易な可搬式スクリーン装置を提供する。ケーシング（１）と、該ケーシング（１）に回動自在に取り付けられたスプリングロールと、一端がトップバー（２）に固着されるとともに収納時上記スプリングロールに卷回されたスクリーン（３）と、該トップバー（２）に取着された取付部材（１４）に一端が枢着されるとともに他端がケーシング（１）に枢着された伸縮手段（４）と、を有する。伸縮手段（４）に、伸長されるスクリーン（３）に平行な伸長面内に配置された第１アーム（５）と第２アーム（６）と第３アーム（７）とを有してなり、第２アーム（６）は、上記伸長面内に互いに平行に設けられた、互いに平行な２以上のサブアーム（６ａ、６ｂ）からなり、平行リンクを形成するように、その２以上のサブアーム（６ａ、６ｂ）を第１アーム（５）と第３アーム（７）に連結してなる片パンタグラフ式伸縮手段（４）を用いる。
2009133809.tif 000002
【特許請求の範囲】
【請求項１】
ケーシングと、該ケーシングに回動自在に取り付けられたスプリングロールと、一端がトップバーに固着されるとともに収納時上記スプリングロールに卷回されたスクリーンと、該トップバーに取着された取付部材に一端が枢着されるとともに他端がケーシングに枢着された伸縮手段と、を有し、
該伸縮手段が、伸長されるスクリーンに平行な伸長面内に配置された第１アームと第２アームと第３アームとを有してなり、該第２アームは、上記伸長面内に互いに平行に設けられた、互いに平行な２以上のサブアームからなり、平行リンクを形成するように該２以上のサブアームを第１アームと第２アームに連結してなる片パンタグラフ式伸縮手段である可搬式スクリーン装置。
【請求項２】
上記伸縮手段の第２アームの一端は第１アームの一端が固定された第１連結部に回動自在に取り付けられ、第２アームの他端は第３アームの一端が固定された第２連結部に回動自在に取り付けられており、
各サブアームの一端がそれぞれ回動自在に別々の連結軸により第１連結部に連結され、各サブアームの他端がそれぞれ回動自在に別々の連結軸により第２連結部に連結された請求項１記載の可搬式スクリーン装置。
【請求項３】
上記第１連結部が、第１アームの一端の両側面を挟持する、互いに平行な一対の第１挟持板からなり、上記第２連結部が、第３アームの一端の両側面を挟持する、互いに平行な一対の第２挟持板からなる請求項２記載の可搬式スクリーン装置。
【請求項４】
上記第１挟持板及び第２挟持板の少なくとも一方が、上記サブアームとの当接面に凸部を有し、サブアームの回動時には、サブアームの一端がその凸部に当接して摩擦力を発生させる請求項３記載の可搬式スクリーン装置。
【請求項５】
上記伸縮手段は、上記伸縮手段の一部に係止された高さ保持手段を有する請求項１から４のいずれか一つに記載の可搬式スクリーン装置。
【請求項６】
上記高さ保持手段は、その一端を第２アームに係止され、他端は第１アームに係止されたガススプリングである請求項５記載の可搬式スクリーン装置。
【請求項７】
上記２以上のサブアームをリンク部材により相互に平行移動可能に連結する請求項６記載の可搬式スクリーン装置。
【請求項８】
上記伸縮手段の第２アームの一端は第１アームの一端に回動自在に取り付けられ、第２アームの他端は第３アームの一端に回動自在に取り付けられており、
各サブアームの一端がそれぞれ回動自在に別々の連結軸により第１アームに連結され、各サブアームの他端がそれぞれ回動自在に別々の連結軸により第２アームに連結された請求項１記載の可搬式スクリーン装置。
【請求項９】
上記伸縮手段は、上記伸縮手段の一部に係止された高さ保持手段を有する請求項８記載の可搬式スクリーン装置。
【請求項１０】
上記高さ保持手段は、その一端を第２アームに係止され、他端は第１アームに係止されたガススプリングである請求項９記載の可搬式スクリーン装置。
【請求項１１】
上記２以上のサブアームをリンク部材により相互に平行移動可能に連結する請求項１０記載の可搬式スクリーン装置。
【請求項１２】
上記伸縮手段の第２アームの一端は第１アームの一端が固定された第１連結部に回動自在に取り付けられ、第２アームの他端は第３アームの一端が固定された第２連結部に回動自在に取り付けられており、
第１アームの他端をケーシングの中間部の支持部材に回動自在に取り付ける一方、第３アームの他端をトップバーの中間部に取着された取付部材に回動自在に取り付け、スクリーン収納時には、上記取付部材をケーシングに係合させてトップバーをケーシングに固定するようにした請求項１記載の可搬式スクリーン装置。
【請求項１３】
上記支持部材をケーシングの中間部の背面側に設ける一方、ケーシングの中間部の前面側に係合部材を設け、上記取付部材を上記支持部材と上記係合部材に係合させてトップバーをケーシングに固定するようにした請求項１２記載の可搬式スクリーン装置。
【請求項１４】
上記第１連結部が、第１アームの一端の両側面を挟持する、互いに平行な一対の第１挟持板からなり、上記第２連結部が、第３アームの一端の両側面を挟持する、互いに平行な一対の第２挟持板からなる請求項１２記載の可搬式スクリーン装置。
【請求項１５】
上記伸縮手段は、上記伸縮手段の一部に係止された高さ保持手段を有する請求項１２記載の可搬式スクリーン装置。
【請求項１６】
上記高さ保持手段は、その一端を第２アームに係止され、他端は第１アームに係止されたガススプリングである請求項１５記載の可搬式スクリーン装置。
【発明の詳細な説明】
【技術分野】
【０００１】
本発明は、プロジェクタ等の投影装置による表示像を拡大投影するスクリーンに関し、持ち運びが容易で、床あるいはテーブル等任意の場所に設置することのできる可搬式スクリーン装置に関する。
【背景技術】
【０００２】
プロジェクタからの画像は、一般に反射型スクリーンに拡大投影されて表示される。このようなスクリーンのうち、天井あるいは壁面に取り付けて使用されるものは、一般に収納ケースに収容されたスクリーンを、必要に応じ、電動あるいは手動により引き下げて使用していた。【０００３】
近年、会社あるいは事務所等における会議の増加に伴い、プロジェクタとともに容易に持ち運ぶことができ、会議室の床、会議用机或いはテーブル上に設置してプロジェクタからの画像を投影することのできる、小型軽量で簡易な構成の可搬式スクリーン装置に対する要望が増加している。これに対し、本出願人は、スプリングロールに巻回されたスクリーンを収納ケースに収納し、スクリーンの伸縮手段としてパンタグラフを用いた小型軽量で簡易な構成の可搬式スクリーン装置を提案した（特許文献１）。
【先行技術文献】
【特許文献】
【０００４】
【特許文献１】特開２０００−１３１７６６号公報
【発明の概要】
【発明が解決しようとする課題】
【０００５】
本発明は、従来に比べより軽量で、かつより取り扱いの容易な可搬式スクリーン装置を提供することを目的とした。
【課題を解決するための手段】
【０００６】
上記課題を解決するため、本発明の可搬式スクリーン装置は、ケーシングと、該ケーシングに回動自在に取り付けられたスプリングロールと、一端がトップバーに固着されるとともに収納時上記スプリングロールに卷回されたスクリーンと、該トップバーに取着された取付部材に一端が枢着されるとともに他端がケーシングに枢着された伸縮手段と、を有し、該伸縮手段が、伸長されるスクリーンに平行な伸長面内に配置された第１アームと第２アームと第３アームとを有してなり、該第２アームは、上記伸長面内に互いに平行に設けられた、互いに平行な２以上のサブアームからなり、平行リンクを形成するように該２以上のサブアームを第１アームと第２アームに連結してなる片パンタグラフ式伸縮手段であることを特徴とする。【０００７】
本発明の第１の態様に係る可搬式スクリーン装置では、上記伸縮手段の第２アームの一端は第１アームの一端が固定された第１連結部に回動自在に取り付けられ、第２アームの他端は第３アームの一端が固定された第２連結部に回動自在に取り付けられており、各サブアームの一端がそれぞれ回動自在に別々の連結軸により第１連結部に連結され、各サブアームの他端がそれぞれ回動自在に別々の連結軸により第２連結部に連結されていることが好ましい。【０００８】
上記第１の態様において、第１連結部が、第１アームの一端の両側面を挟持する、互いに平行な一対の第１挟持板からなり、第２連結部が、第３アームの一端の両側面を挟持する、互いに平行な一対の第２挟持板からなることが好ましい。【０００９】
また、上記第１の態様において、第１挟持板及び第２挟持板の少なくとも一方が、上記サブアームとの当接面に凸部を有し、サブアームの回動時には、サブアームの一端がその凸部に当接して摩擦力を発生させることが好ましい。【００１０】
また、上記第１の態様において、伸縮手段は、伸縮手段の一部に係止された高さ保持手段を有することが好ましい。この上記高さ保持手段は、その一端を第２アームに係止され、他端は第１アームに係止されたガススプリングであることが好ましい。【００１１】
また、上記第１の態様において、上記２以上のサブアームをリンク部材により相互に平行移動可能に連結することが好ましい。【００１２】
また、本発明の第２の態様に係る可搬式スクリーン装置は、上記伸縮手段の第２アームの一端は第１アームの一端に回動自在に取り付けられ、第２アームの他端は第３アームの一端に回動自在に取り付けられており、各サブアームの一端がそれぞれ回動自在に別々の連結軸により第１アームに連結され、各サブアームの他端がそれぞれ回動自在に別々の連結軸により第２アームに連結されていることが好ましい。【００１３】
上記第２の態様において、上記伸縮手段は、上記伸縮手段の一部に係止された高さ保持手段を有することが好ましい。また、その高さ保持手段は、その一端を第２アームに係止され、他端は第１アームに係止されたガススプリングであることが好ましい。【００１４】
また、上記第２の態様において、上記２以上のサブアームをリンク部材により相互に平行移動可能に連結することが好ましい。【００１５】
また、本発明の第３の態様に係る可搬式スクリーン装置は、上記伸縮手段の第２アームの一端は第１アームの一端が固定された第１連結部に回動自在に取り付けられ、第２アームの他端は第３アームの一端が固定された第２連結部に回動自在に取り付けられており、第１アームの他端をケーシングの中間部の支持部材に回動自在に取り付ける一方、第３アームの他端をトップバーの中間部に取着された取付部材に回動自在に取り付け、スクリーン収納時には、上記取付部材をケーシングに係合させてトップバーをケーシングに固定することが好ましい。【００１６】
上記第３の態様において、上記支持部材をケーシングの中間部の背面側に設ける一方、ケーシングの中間部の前面側に係合部材を設け、上記取付部材を上記支持部材と上記係合部材に係合させてトップバーをケーシングに固定することが好ましい。【００１７】
また、上記第３の態様において、上記第１連結部が、第１アームの一端の両側面を挟持する、互いに平行な一対の第１挟持板からなり、上記第２連結部が、第３アームの一端の両側面を挟持する、互いに平行な一対の第２挟持板からなることが好ましい。【００１８】
また、上記第３の態様において、上記伸縮手段は、上記伸縮手段の一部に係止された高さ保持手段を有することが好ましい。また、その高さ保持手段は、その一端を第２アームに係止され、他端は第１アームに係止されたガススプリングであることが好ましい。
【発明の効果】
【００１９】
本発明の可搬式スクリーン装置によれば、片パンタグラフ構造の伸縮手段を用いることにより、従来のパンタグラフ構造の伸縮手段を用いた場合に比べ部品点数を削減することが可能となり、より軽量かつ取り扱いの容易な可搬式スクリーン装置を提供することができる。【００２０】
さらに、本発明の第１の態様に係る可搬式スクリーン装置は、伸縮手段として、連結部を介して連結された第１アームと第２アームと第３アームを用いるが、中間の第２アームに複数のサブアームを用い、各サブアームの端部を回動自在に別々の連結軸により連結部で連結し、各サブアームの回動抵抗によりスクリーンの下降を抑制することができる。これにより、スクリーンの高さ調整が容易でかつスクリーンの落下の心配のない取り扱いの容易な可搬式スクリーン装置を提供することができる。【００２１】
また、本発明の第２の態様の係る可搬式スクリーン装置は、伸縮手段として、連結部を介して連結された第１アームと第２アームと第３アームを用いるが、中間の第２アームに複数のサブアームを用い、各サブアームの一端を回動自在に別々の連結軸により第１アームの一端に連結する一方、各サブアームの他端を回動自在に別々の連結軸により第３アームの一端に連結し、各サブアームの回動抵抗によりスクリーンの下降を抑制することができる。これにより、スクリーンの高さ調整が容易でかつスクリーンの落下の心配のない取り扱いの容易な可搬式スクリーン装置を提供することができる。さらに、連結部が不要なので、より軽量化することができる。【００２２】
また、本発明の第３の態様に係る可搬式スクリーン装置は、片パンタグラフ構造の伸縮手段を用い、第１アームの他端をケーシングの中間部の支持部材に回動自在に取り付ける一方、第３アームの他端をトップバーの中間部に取着された取付部材に回動自在に取り付け、スクリーン収納時には、上記取付部材をケーシングに係合させてトップバーをケーシングに固定するようにしたもので、トップバーがケーシングの蓋を兼ねるのでさらに軽量化することができる。また、使用時には、取付部材とケーシングとの係合を解除してトップバーを引き上げるという簡単操作により、スクリーンを展張することができ、取り扱いが極めて簡単である。
【図面の簡単な説明】
【００２３】
【図１】本発明に係る可搬式スクリーン装置の使用時の構造の一例を示す背面側の模式斜視図である。
【図２】図１の可搬式スクリーン装置の正面側の構造を示す模式図である。
【図３】図１の可搬式スクリーン装置に用いる取付け部材の構造の一例を示す模式断面図である。
【図４】図１の可搬式スクリーン装置に用いる連結部の構造の一例を示す模式図である。
【図５】図１の可搬式スクリーン装置に用いる連結部の構造の別の例を示す模式図である。
【図６】図１の可搬式スクリーン装置に用いる連結部の構造の別の例を示す模式図である。
【発明を実施するための形態】
【００２４】
以下、図面を参照して本発明の実施の形態について説明する。
実施の形態１．
図１は、本発明の実施形態に係る可搬式スクリーン装置の使用時の状態の一例を示す模式斜視図であり、プロジェクタ側を正面とした場合の、背面を示している。実施の形態に係る可搬式スクリーン装置は、ケーシング１と、ケーシング１に取りつけられたスプリングロール（不図示）と、トップバー２とスプリングロールとの間に展張されたスクリーン３と、スクリーン３を伸縮する片パンタグラフ式伸縮手段４と、ガススプリングからなる高さ保持手段１０とを備えている。１６，１７は使用時に可搬式スクリーン装置を支持する支持脚である。また、１２，１３は非使用時に折り畳んだ伸縮手段４を保持する固定部材である。
【００２５】
図２は、本発明の実施形態に係る可搬式スクリーン装置の使用時の状態の一例を示す模式図であり、プロジェクタ側の正面の状態を示している。ケーシング１の中間部にはトップバー固定用の係合部材１５を設けており、伸縮手段４を折り畳んでスクリーン３を収納する際には、取付部材１４と係合してトップバー２をケーシング１に固定する。ここで、係合部材１５は、トップバーの荷重によりケーシングが変形するのを防ぐ保護部材としても作用する。係合部材１５は、少なくともケーシング中間部の前面の上部に設ければ良い。図２に示すようにケーシングの中間部の前面の全体を覆うように設けても良い。
【００２６】
図１に示すように、伸縮手段４は、片パンタグラフ構造を有する。伸縮手段４により、以下の構成を具備することにより、スクリーンの下降を確実に抑制することができる。第１アーム５の一端をケーシング１の中間部の支持部材１１に回動自在に枢着させる。続いて、第１アーム５の他端を第１連結部８に固定するとともに、中間アームとなる第２アーム６のサブアーム６ａ，６ｂの一端をそれぞれ別々の連結軸により第１連結部８に回動可能に連結する。続いて、サブアーム６ａ，６ｂの他端を、その他端が回動可能に別々の連結軸により第２連結部９に連結する。続いて、第２連結部９に第３アーム７の一端を固定するとともに、第３アーム７の他端をトップバー２の中間部に取着された取付部材１４内のＵ字型部材（不図示）に枢着する。ここで、互いに連結された第１アームと、第２アームを構成する２本のサブアームと、第３アームとは、伸長されるスクリーンに平行な伸長面内に配置されている。
【００２７】
伸縮手段４を構成するアームには、アルミ製の中空角型パイプを用いることができる。また、第１連結部８は、アームを挟持可能に一対の挟持板８ａ，８ｂが互いに平行となるように連結された挟持部材からなり、第１連結部８は第１アーム５の一端の両側面を挟持固定するように取着されている。また、第２連結部９は、アームを挟持可能に一対の挟持板９ａ，９ｂが互いに平行となるように連結された挟持部材からなり、第２連結部９は第３アーム７の一端の両側面を挟持固定するように取着されている。ここで、第１連結部を構成する一対の挟持板は、それぞれ、第１アームと第２アームと第３アームとを含む上記の伸長面と平行な別の伸長面内に配置されている。また、第２連結部を構成する一対の挟持板も、それぞれ、第１アームと第２アームと第３アームとを含む上記の伸長面と平行な別の伸長面内に配置されている。
【００２８】
また、サブアーム６ａ，６ｂの一端を、一対の第１挟持板８ａ，８ｂの間を回動可能に別々の連結軸により第１連結部に連結する。図４は、伸長時の第１連結部の構造の一例を示す模式図であり、第１挟持板８ｂを取り外した状態を示している。第１アーム５は、一対の第１挟持板８ａ，８ｂに固定されている。一方、サブアーム６ａ，６ｂは、それぞれ別の連結軸により連結されており、連結軸を中心に、対向する一対の第１挟持板８ａ，８ｂの間を、端部の両側面をその一対の第１挟持板に当接した状態で回動する。また、第２連結部の構造も同様であり、第３アームは一対の第１挟持板９ａ，９ｂに固定されている。一方、サブアーム６ａ，６ｂは、それぞれ別の連結軸により連結されており、連結軸を中心に、対向する一対の第２挟持板９ａ，９ｂの間を、その一対の第２挟持板に当接した状態で回動する。
【００２９】
サブアーム６ａ，６ｂは、伸縮手段４の伸縮に応じて回動するが、その回動時には、サブアーム端部と連結軸とのヒンジ部の摩擦抵抗により、スクリーンの下降を抑制することができる。特に、サブアーム６ａ，６ｂと、第１連結部と第２連結部とは、４つの連結軸により連結された構造を有し、平行リンクを形成している。スクリーンの重力は第３アームを介して第２連結部に伝達されるが、平行リンクの揺動により、その荷重はサブアーム６ａ，６ｂに分散され４つの連結軸のヒンジ部の摩擦抵抗を発生させ、サブアームが１本の場合に比べ、大きな摩擦抵抗を発生させることができる。これにより、スクリーンの下降をより確実に抑制することができる。さらに、図１に示すように、連結部を一対の挟持板で構成することにより、サブアームの端部の両側面と、一対の第１挟持板及び一対の第２挟持板との間に摩擦力が発生するので、スクリーンの下降をより一層確実に抑制することができる。
【００３０】
また、必要に応じて、サブアームを補強するために、２以上のサブアームをリンク部材により相互に平行移動可能に連結しても良い。図１においては、２つのサブアームの片方の側面をリンク部材２５により連結した例を示したが、一対のリンク部材を用いて２以上のサブアームの両方の側面を連結することもできる。また、リンク部材の数は特に限定されず、１個以上あるいは１対以上用いることができる。また、リンク部材を設ける位置は特に限定されず、サブアームの側面であれば任意の位置に設けることができるが、高さ保持手段に近い位置が好ましい。また、リンク部材は、２以上のサブアームを相互に平行移動可能に連結できるものであれば、その形状や構造は特に限定されない。
【００３１】
なお、挟持板には金属板を用い、サブアームの端部には樹脂性の端部材を設けることが好ましい。摺動時に不快な音が発生することがなく、大きな摩擦力を発生させることができるからである。
【００３２】
また、スクリーンを所望の高さに、より確実に保持するために、高さ保持手段を設けることもできる。図１に示すように、高さ保持手段１０として用いるガススプリングは、その一端を第１アーム５に連結部分を介して係止され、他端はサブアーム６ａに連結部分を介して係止されている。高さ保持手段は、スプリングロールのスプリングの弾性力及びスクリーンの重力に抗して伸縮手段に上方への付勢力を付与するものである。高さ保持手段は、伸縮手段に上方への付勢力を付与できるものであれば、上記のガススプリングに限定されず、他の弾性手段、例えばコイルスプリングを用いることもできる。コイルスプリングを用いる場合、第１アーム５と第３アーム５とが互いに離反する方向に付勢する方法であれば、すべて本発明の範囲に含まれる。例えば、サブアーム６ａと第２連結部９との連結軸にコイルスプリングの一端を係止し、サブアーム６ｂと第１連結部８との連結軸にコイルスプリングの他端を係止することにより、伸縮手段に上方への付勢力を付与することができる。この場合、サブアームと連結部との間の摩擦力に影響を与えないようにコイルスプリングを係止する必要がある。
なお、これ以外にも高さ保持手段には種々の変形例が可能であるが、それらは本発明の範囲に含まれる。
【００３３】
図３は、取付け部材１４の構造の一例を示す模式断面図である。取付け部材１４は、第３アームの一端が枢着された取付部２１と、スクリーン収納時に、ケーシング１の中間部に設けられたトップバー固定用の係合部材１５と係合する係合部２０と、回動ロック２４とからなる。係合部２０の中には、一対の係合部材２２，２３が配置されている。係合部２０は、回動ロック２４のロック部材２４ａを水平方向に回動可能に支持する開口縁部２０ａ，２０ｂを有している。プロジェクタ側の係合部材２３は、一端に係合部材１５と係合する係合突起２３ａを有し、他端には開口縁部２０ｂに当接する突起２３ｃを有し、さらにロック部材２４ａに固定する固定部２３ｂを有する。また、背面側の係合部材２２は、その一端にＵ字型部材１１と係合する係合突起２２ａを有する。係合部材２２，２３は、係合突起２３ａと係合突起２２ａとが互いに接近する方向にバネ部材（不図示）により付勢されている。スクリーン収納時には、係合突起２３ａは係合部材１５と係合し、係合突起２２ａはＵ字型部材１１と係合して、トップバー２がケーシング１に固定される。回動ロック２４をロック位置に回動させると、係合突起２３ａがトップバー方向に付勢されたロック状態が保持される。一方、回動ロック２４をロック解除位置に回動させると、係合突起２３ａのトップバー方向への付勢力は弱まる結果、トップバーをケーシングから引き離すことができる。
【００３４】
上記構成の本発明に係る可搬式スクリーンの動作を以下に説明する。
非使用時においては、伸縮手段４が折り畳まれて、略直方体の形状を呈しており、収納及び持ち運びが極めて容易である。この状態では、スクリーン３はスプリングロール（不図示）に取り付けられたスプリング（不図示）の弾性力によりスプリングロールに完全に巻回されるとともに、伸縮手段４を構成する複数のアームは完全に折り畳まれており、スプリングロールと概ね平行に延在している。
【００３５】
使用する場合には、トップバー２を上方に引っ張ると、スプリングロールに取り付けられたスプリングの弾性力及び重力に抗してスクリーン３がスプリングロール２より引き出される。
【００３６】
ガススプリングには、高圧ガスがオリフィスを有するピストンを介してシリンダー内部に封入されており、ピストンロッドの伸縮に伴うシリンダー内の体積変化を、オイルを介して間接的に或いは直接的にガスの圧力変化により調整している。ここで、スクリーン３が下降しようとすると、ピストンロッドが圧縮されるため、ガススプリング内部のガス圧力による反発力が発生し、伸縮手段に上方への付勢力を付与し、スクリーン３の下降をさらに抑制することができる。サブアーム端部と連結軸とのヒンジ部の摩擦抵抗と、サブアームの端部の両側面と、一対の第１挟持板及び一対の第２挟持板との間に発生する摩擦力と、このガススプリングの上方への付勢力とにより、スクリーンの下降をより一層確実に抑制することができる。
【００３７】
また、伸縮手段４が折り畳まれた状態に近くなると、スプリングロールのスプリングの弾性力及び重力に抗する高さ保持手段１０の反発力が低下し伸縮手段４が落下する場合がある。しかし、サブアーム端部と連結軸とのヒンジ部の摩擦抵抗と、サブアームの端部の両側面と、一対の第１挟持板及び一対の第２挟持板との間に発生する摩擦力とは、伸縮手段４の急激な落下を防止する効果も有する。特に、サブアームの端部は、伸縮手段が折り畳まれた状態に近くなると、挟持板との間の接触面積が増大する。これによりサブアームの端部と挟持板との間の摩擦力が増大するので、伸縮手段の落下を確実に防止できる。
【００３８】
なお、挟持板を使用せず、サブアーム端部と連結軸とのヒンジ部を締め付けてそのヒンジ部の摩擦抵抗だけを大きくすることも可能である。しかし、ヒンジ部を締め付けすぎると、伸縮手段の伸縮がスムーズにできない可能性がある。しかし、挟持板を用いることにより、ヒンジ部が過度に締め付けられるのを防止することができる。これにより、伸縮手段の伸縮をスムーズに行うとともに、スクリーンの下降を確実に抑制することができる。
【００３９】
また、伸縮手段４は、ケーシング１及びトップバー２の中央部のみで接続されており、ケーシング及びトップバーと２点以上で接続する場合と比べると、スクリーン３の左右のバランスが取り易い。
【００４０】
さらに、収納する際には、トップバー２を下方に押すだけの操作で、伸縮手段４が落下することなく、ゆっくりと下降して折り畳まれるとともに、スクリーン３がスプリングロールに巻回されてケーシングに収納される。
【００４１】
また、シリンダー内部にオイルを含むフリーピストンタイプのガススプリングを用いることにより、より効果的に伸縮手段の下降時の落下を防止できる。フリーピストンータイプのガススプリングは、ピストンロッドのシリンダー内部先端に設けられているピストンにオリフィスが設けられており、伸縮手段４が折り畳まれた状態に近くなると、ガススプリングのピストンロッドはシリンダー内に深く押し込まれる。この時、ピストンはオイルに到達してオイルを圧迫するため、ロッドを急激に押し込むことができなくなる。その後、オイルはオリフィスを除々に通過していくため、ロッドは緩やかに押し込まれ、伸縮手段はゆっくりと折り畳まれる。
【００４２】
本実施の形態では、表面が平坦な挟持板を用いたが、第１挟持板及び第２挟持板の少なくとも一方には、サブアームとの当接面に凸部を有し、サブアームの回動時には、サブアームの一端がその凸部に当接して摩擦力を発生させるものを用いることもできる。図５は、表面の凸部を有する第１挟持板の例を示す模式図である。挟持板８ａの表面には、サブアーム６ａ，６ｂの端部の回動に対応して摩擦力が発生するように基部８１ｂと凸部８１ａが設けられている。伸縮手段を伸長させる場合、サブアームの回動に伴い摩擦抵抗は低下するので、伸縮手段を容易に伸長することができ。一方、スクリーンの降下に際しては摩擦力が増大するので、下降を確実に抑制することができる。この凸部は、機械加工により表面を研削して形成することができる。
【００４３】
また、挟持板の表面を粗面化することもできる。表面が平坦な挟持板を用いた場合、サブアームとの摩擦が大きくなると、不快な音がする場合があるが、表面を粗面化することにより、それを抑制することができる。粗面化の程度は特に限定されないが、例えば、算術平均粗さＲａで規定される表面粗さが、０．５μｍ〜１０μｍであることが好ましくは、さらに好ましくは１〜５μｍである。
【００４４】
さらに、挟持板に一方のサブアームの一端部に当接するように緩衝用のバネを設けることもできる。図６は、そのバネ３０の動作を示す模式図である。バネ３０は、その一端が挟持板８ａに固定され、他端はサブアーム６ａの下端部に当接している。（ａ）は、スクリーンを収納した状態、（ｃ）はスクリーンを展張した状態、（ｂ）はスクリーンを展張するまでの途中の状態を示している。（ｃ）の展張状態では、バネ３０は、その弾性力によりサブアームの下降を抑制する。また、（ａ），（ｂ）の状態ではサブアームの急激な下降を抑制して下降時の衝撃を吸収する。サブアームの下端部に当接可能であれば、バネの形状は特に限定されないが、サブアームに当接する端部の形状が、サブアームの下端部の形状に合わせた湾曲形状を有する板バネが好ましい。このバネを用いることにより、スクリーンの下降をより確実に抑制することができる。
【００４５】
なお、本実施の形態では、第２アームが２本のサブアームからなる場合について説明したが、スプリングロールの付勢力やスクリーンの重量に応じて、３本以上のサブアームを設けることにより、摩擦抵抗を増大させて、スクリーンの下降を確実に抑制することができる。
【００４６】
実施の形態２．
本実施の形態は、連結部を使用せず、各サブアームの一端をそれぞれ回動自在に別々の連結軸により第１アームに連結し、各サブアームの他端をそれぞれ回動自在に別々の連結軸により第３アームに連結した以外は、実施の形態１と同様の構成を有する。本実施の形態においても、サブアーム端部と連結軸とのヒンジ部の摩擦抵抗により、スクリーンの下降を抑制できる。これにより、スクリーンの高さ調整が容易でかつスクリーンの落下の心配のない取り扱いの容易な可搬式スクリーン装置を提供することができる。さらに、連結部が不要なので、より軽量化することができる。
【００４７】
なお、高さ保持手段として、ガススプリングに代えてコイルスプリングを用いることもできる。また、コイルスプリングはアーム内に取り付けることもできる。例えば、サブアーム６ａとサブアーム６ｂの一端を第１アーム５の一端にそれぞれ連結し、サブアーム６ａとサブアーム６ｂの他端を第３アーム７の一端にそれぞれ連結して平行リンクを形成し、サブアーム６ｂの回動に応じて伸縮するようにコイルスプリングをサブアーム６ｂ又は第１アーム５の内部に設ける一方、サブアーム６ａの回動に応じて伸縮するようにコイルスプリングをサブアーム６ａ又は第３アーム７の内部に設けることができる。
【００４８】
以上、説明したように、本発明の可搬式スクリーン装置によれば、従来のパンタグラフ構造の伸縮手段を用いた場合に比べ部品点数を削減することができるので、より軽量かつ取り扱いの容易な可搬式スクリーン装置を提供することができる。
【符号の説明】
【００４９】
１  ケーシング、２  トップバー、３  スクリーン、４  伸縮手段、５  第１アーム、６  第２アーム、６ａ，６ｂ  サブアーム、７  第３アーム、８  第１連結部、８ａ，８ｂ  第１挟持板、８１ａ  凸部、８１ｂ  基部、９  第２連結部、９ａ，９ｂ  第２挟持板、１０  高さ保持手段、１１  支持部材、１２，１３  固定部材、１４  取付部材、１５  係合部材、１６，１７  支持脚、２０  係合部、２０ａ，２０ｂ  開口縁部、２１  取付部、２２，２３  係合部材、２２ａ，２３ａ  係合突起、２３ｂ  固定部、２３ｃ  突起、２４  回動ロック、２４ａ  ロック部材、２５  リンク部材、３０  バネ。
【図１】
2009133809.tif 000003
【図２】
2009133809.tif 000004
【図３】
2009133809.tif 000005
【図４】
2009133809.tif 000006
【図５】
2009133809.tif 000007
【図６】
2009133809.tif 000008
【国際調査報告】
2009133809.tif 000009
2009133809.tif 000010